(57)【要約】【課題】データ提供プラットフォームにおいて、通信端末による豊富なカラーデータを提供すること。【解決手段】データ提供プラットフォームは、通信システムの通信端末による通信データの提供に使われる。通信データは、通信システムの別の通信端末のユーザーの個人情報に関するカラーデータである。データ提供プラットフォームには、カラーデータベース（カラーデータを保存する）、カラーデータ請求受信装置（通信端末によるカラーデータの取得要求を受信する）、カラーデータ検索装置（取得されたカラーデータ請求のパラメータに基づいてカラーデータベースから通信端末のカラーデータを検索する）及びカラーデータ送信装置（検索されたカラーデータを通信端末へ提供する）を備える。【選択図】図４
2008192155.tif 000002
【特許請求の範囲】
【請求項１】
通信システムの通信端末に通信データを提供するデータ提供プラットフォームであって、上記の通信データは上記の通信システムの別の通信端末のユーザーの個人情報に関するカラーデータであるデータ提供プラットフォームは、
カラーデータの保存に使われるカラーデータベースと、
上記通信端末から上記カラーデータの取得請求を受信するカラーデータ請求受信装置と、
受信された上記のカラーデータの取得請求に含まれるパラメータに基づいて、上記のカラーデータベースから通信端末のカラーデータを検索するカラーデータ検索装置と、
検索されたカラーデータを通信端末へ提供するカラーデータ送信装置を
備えるデータ提供プラットフォーム。
【請求項２】
上記のパラメータは、通信端末の住所情報と別の通信端末の住所情報である請求項１に記載のデータ提供プラットフォーム。
【請求項３】
上記の住所情報は、通信端末に配分された唯一の識別コードである請求項２に記載のデータ提供プラットフォーム。
【請求項４】
上記のカラーデータの設定に使われるカラーデータ設定装置を含む請求項１に記載のデータ提供プラットフォーム。
【請求項５】
上記のカラーデータには、テキストデータ、図形データ、オーディオデータ、flashデータ、ビデオデータ、リンク住所データ及びマルチメディアデータの一種又は複数以上の組み合わせが含まれる請求項１に記載のデータ提供プラットフォーム。
【請求項６】
登録ユーザーが通信端末を利用して上記のデータ提供プラットフォームに接続し、上記のカラーデータ設定装置を通じてカラーデータを設定する請求項４に記載のデータ提供プラットフォーム。
【請求項７】
登録ユーザーが無線応用協議方式をもって上記のデータ提供プラットフォームに接続し、上記のカラーデータ設定装置を通じてカラーデータを設定する請求項４に記載のデータ提供プラットフォーム。
【請求項８】
登録ユーザーがwebを利用して上記のデータ提供プラットフォームに接続し、上記カラーデータ設定装置を通じてカラーデータを設定する請求項４に記載のデータ提供プラットフォーム。
【請求項９】
登録ユーザーが受動的な音声応答方式をとり上記のデータ提供プラットフォームに接続し、上記のカラーデータ設定装置を通じてカラーデータを設定する請求項４に記載のデータ提供プラットフォーム。
【請求項１０】
上記のカラーデータの設定が、上記の別の通信端末の通話状態により異なる請求項４に記載のデータ提供プラットフォーム。
【請求項１１】
呼び出し状態は、上記の別の通信端末がアイドル状態、シャットダウン状態、サービスエリア域外状態、通話状態のいずれかの一つである請求項１０に記載のデータ提供プラットフォーム。
【請求項１２】
上記のカラーデータは、異なる時間帯によって異なるデータが設定されている請求項４に記載のデータ提供プラットフォーム。
【請求項１３】
登録ユーザーが、上記のカラーデータ設定装置で当面の相手に見せたい情報を設定し、上記の見せたい情報は、多忙中、会議中、外出中、食事中及び休憩中のうちいずれかである請求項４に記載のデータ提供プラットフォーム。
【請求項１４】
上記のカラーデータ設定装置を通じて、カラーデータの提供に対し一時シャットダウン又は開閉状態を設定する請求項４に記載のデータ提供プラットフォーム。
【請求項１５】
上記のカラーデータ設定装置を通じて、登録ユーザーに対しデフォルトカラーデータを提供する請求項４に記載のデータ提供プラットフォーム。
【請求項１６】
登録ユーザーが、上記のカラーデータ設定装置を通じて、相手の異なる番号を呼び出し、異なるカラーデータを提供する請求項４に記載のデータ提供プラットフォーム。
【請求項１７】
登録ユーザーが、上記のカラーデータ設定装置を通じて、通信端末の番号をグループに分け、異なる番号グループに対し異なるカラーデータを提供する請求項４に記載のデータ提供プラットフォーム。
【請求項１８】
登録ユーザーが、上記のカラーデータ設定装置を通じて、相手位置を呼び出し、異なるカラーデータを提供する請求項４に記載のデータ提供プラットフォーム。
【請求項１９】
登録ユーザーが、上記のカラーデータ設定装置を通じて、カラーデータに対し編集や修正又は操作を追加する請求項４に記載のデータ提供プラットフォーム。
【発明の詳細な説明】
【技術分野】
【０００１】
本発明は、移動通信技術分野に関わるものである。本発明は、通信端末に通信データを提供するデータ提供プラットフォームに使われる。
【背景技術】
【０００２】
通信技術とネットワーク技術の発展に伴い、セルラー電話、携帯情報端末（PDA）、固定電話、ソフトウェア端末の携帯計算機などの通信端末が益々普及するようになった。ユーザーは、これらの通信端末を通じて通信ネットワークを経由し音声の呼び出し業務を行うことができる。しかし、現在においてこれらの通信端末ユーザーは、既存の音声通信業務の提供に満足していない。彼らは、通信ネットワークを通じてより豊富な提供業務を願っている。
【０００３】
普通音声通信業務を提供すると同時にユーザー呼び出し音楽の提供といった技術は既に提供されている。これによれば、発信者が受信者を呼び出す時、呼び出し音楽プラットフォームは発信者に呼び出し音楽を提供する。しかし、現在の技術では、簡単な呼び出し音楽の提供しかないので、これではユーザーを満足させることは到底できない。現在の技術では音声呼び出しと同時に通信端末ユーザーに豊富なデータ業務を提供することができない。ここで言う豊富なデータには、テキストデータや図形データ、オーディオデータ、ビデオデータなどを組み合わせたデータがあげられる。また現在の技術では、それに応じた豊富なデータ内容を表示する通信端末もない。
【発明の開示】
【０００４】
本発明の目的は、通信端末に通信データを提供する為のデータ提供プラットフォームに使われ、当該通信端末による豊富なカラーデータの提供を可能にすることにある。
【０００５】
本発明に基づくデータ提供プラットフォームは、通信システムの通信端末に通信データを提供する。上記の通信データは、通信システムにおける別の通信端末のユーザー個人情報のカラーデータである。上記のデータ提供プラットフォームには、カラーデータベース（上記のカラーデータの保存する）やカラーデータ請求受信装置（上記通信端末による上記カラーデータの取得の請求を受信する）、カラーデータ検索装置（取得された上記のカラーデータ請求におけるパラメータに基づいて、カラーデータベースから通信端末に提供するカラーデータを検索する）、及びカラーデータ送信装置（検索されたカラーデータを上記の通信端末に提供する）がある。
【０００６】
本発明の実例に基づいて、上記のパラメータは、通信端末の住所情報と別の通信端末の住所情報である。
【０００７】
本発明の実例に基づいて、上記の住所情報は、通信端末に配分する為の唯一の識別コードである。
【０００８】
本発明の実例に基づいて、データ提供プラットフォームは、カラーデータ設定装置を含み、このカラーデータ設定装置は、上記のカラーデータにおいて述べられたカラーデータを設定することに使われる。
【０００９】
本発明の実例に基づいて、上記のカラーデータには、テキストデータや図形データ、オーディオデータ、flashデータ、ビデオデータ,リンク住所データ及びマルチメディアデータにおける一種又は複数以上の組み合わせが含まれる。
【００１０】
本発明の実例に基づいて、登録ユーザーが、通信端末を利用して上記のデータ提供プラットフォームに接続し、カラーデータ設定装置を通じてカラーデータを設定する。
【００１１】
本発明の実例に基づいて、登録ユーザーが、無線利用協議方式を利用して、上記のデータ提供プラットフォームに接続し、カラーデータ設定装置を通じてカラーデータを設定する。
【００１２】
本発明の実例に基づいて、登録ユーザーが、webを利用して、上記のデータ提供プラットフォームに接続し、上記のカラーデータ設定装置を通じて上記カラーデータを設定する。
【００１３】
本発明の実例に基づいて、登録ユーザーが、主動的な音声応答方式を利用して、上記のデータ提供プラットフォームに接続し、カラーデータ設定装置を通じてカラーデータを設定する。
【００１４】
本発明の実例に基づいて、上記のカラーデータを、別の通信端末の呼び出し状態によって設定する。
【００１５】
本発明の実例に基づいて、上記の呼び出し状態を、上記別の通信端末におけるアイドル状態、シャットダウン状態、サービスエリア域外状態、通話状態のいずれかにする。
【００１６】
本発明の実例に基づいて、上記のカラーデータを、異なる時間帯によって異なるカラーデータになるように設定する。
【００１７】
本発明の実例に基づいて、登録ユーザーは、上記のカラーデータ設定装置を通じて当面の相手に見せたい以下の状態情報のいずれかを設定する。多忙中、会議中、食事中、休憩中。
【００１８】
本発明の実例に基づいて、上記のカラーデータ設定装置を通じて、カラーデータの提供に対し一時のシャットダウン又は開閉（ON/OFF）を設定できる。
【００１９】
本発明の実例に基づいて、上記のカラーデータ設定装置を通じて、登録ユーザーにデフォルトカラーを提供する。
【００２０】
本発明の実例に基づいて、登録ユーザーが、上記のカラーデータ設定装置を通じて相手の異なる番号により異なるカラーデータを提供する。
【００２１】
本発明の実例に基づいて、登録ユーザーが、カラーデータ設定装置を通じて通信端末の番号をグループに分け、異なる番号群に対し異なるカラーデータを提供する。
【００２２】
本発明の実例に基づいて、登録ユーザーが、上記のカラーデータ設定装置を通じて呼び出し相手位置により異なるカラーデータを提供する。
【００２３】
本発明の実例に基づいて、登録ユーザーが、カラーデータ設定装置を通じてカラーデータに対し編集や修正又は操作を追加する。
【００２４】
以下の図面の詳細説明を参考し、本発明の特徴やメリットはますます明らかとなる。
【００２５】
（具体的な実施方式）
【００２６】
本明細書において、回路交換通信ネットワークとしてのGSM（global system for mobile communications）とパケット交換通信ネットワークのGPRS（general packet radio service）に基づいて本発明の原理の一例を説明する。しかし、本発明で述べた実例は、例としたあげた物であり、限定的なものではない。その他の回路交換通信ネットワークも本発明の中でよく使われ、データ通信や音声通信を実現する。適正な回路交換通信ネットワーク及びパケット交換通信ネットワークにおいて音声通信とデータ通信を伝送することができる。時分割多元接続（Time division multiple access：TDMA)、広帯域・符号分割多元接続方式（Code division multiple access：CDMA)、フレーム分割多元接続方式（frame division multiple access：FDMA)、直交周波数分割多元接続方式（Orthogonal Frequency Division Multiple access）、周波数分割複信（Time division duplex：TDD)、周波数分割多重方式 (Frequency division duplex：FDD)又は上記技術の任意組み合わせなど、適正な接続技術をもつ固定的、移動的な回路とパケット交換ネットワークを使用できる。本発明は如何なる特定タイプの通信ネットワーク又は接続技術にも限らない。
【００２７】
本明細書におけるカラーデータは、通信端末に表示することができ、しかも当該通信端末と音声通信を行う為の別の通信端末のユーザーに関する個人情報データを表示する。現在の技術における単一のデータタイプと違い、本発明におけるカラーデータには、各タイプのマルチメディアデータの組み合わせデータが含まれ、例えば、上記のカラーデータの内容はユーザーが制定する図形や映像、ビデオ画像、アニメ、マルチメディア情報などの組み合わせデータである。具体的に言うと、これにはテキストデータや図形データ、オーディオデータ、flashデータ、ビデオデータ、リンクデータ及びその他マルチメディアデータの一種又は複数以上の組み合わせが含まれる。上記のテキストデータは、文字情報や解釈文字、スクリプトなどであり。上記の図形データにはビットマップ（BMP）、静止画像データの圧縮方式（Joint Photographic Group）、Joint Photographic Experts Group、画像フォーマット（Portable Network Graphics）、画像ファイルフォーマット（Graphics Interchange Format (GIF)、SWFを含むがこれだけに限らない。図形データの内容は、各種のアニメ図形、貼り付け図形がある。上記のオーディオデータのタイプには、MIDI(musical instruments digital interface)、WAVファイル、SMF、MP3などを含むがそれだけに限らない。オーディオデータは音楽などである。上記のビデオデータのタイプには、Audio-video interleaved file(AVIファイル)、RM、MPEG-2、MPEG-4、H.264などのタイプを含むが、これだけに限らない。上記のリンクデータは、インターネットのアドレス情報である。また、上記のカラーデータの内容には、ユーザーの個人情報を含み、その内の個人情報としてはユーザーの生命、性別、電話番号、家庭住所、所属会社名、肩書き、郵便番号、MSN、メールアドレス、個人署名のいずれか又は複数以上のものが挙げられる。
【００２８】
本明細書でいう「通信端末」とは、マルチメディア機能をもつ固定電話、モバイル電話、注文電話、PDA、その他運用されるソフトウェア端末を有するノートパソコン又はディスクコンピュータのことを指している。上記の通信端末は、GSM基準、CDMA基準、WCDMA基準、CDMA2000基準、HSDPA基準、GPRS基準、3G基準及び次世代の通信基準のいずれかに合致しなければならない。本発明でいう「通信端末」は、如何なる特定基準の端末に限られない。
【００２９】
通信端末にカラーデータを提供する通信システムの体系構造は、図1をご参考下さい。図１は、本発明の実施例に基づく通信システム10を表している。
【００３０】
図１をご覧下さい。当該通信システム10には、通信端末11Aと通信端末11B、GSM通信ネットワーク12とGPRS通信ネットワーク13及びカラーデータ提供プラットフォーム14が含む。通信端末11Aは、GSM通信ネットワーク12又はGPRS通信ネットワーク13を経由し通信端末11Bと接続する。また通信端末11Aと通信端末11Bは、GSM通信ネットワーク12又はGPRS通信ネットワーク12を通じてゲートウェイ（明記していない）を経由し、カラーデータ提供プラットフォーム14と接続する。
【００３１】
通常、GSM通信ネットワーク12又はGPRS通信ネットワーク13を経由し、通信端末11Aと通信端末11Bの間に既存の音声呼び出しリンク回線を構築する。
【００３２】
例えば、発信者としての通信端末11Aが、GSM通信ネットワーク12又はGPRS通信ネットワーク13を経由し、受信者としての通信端末11Bに音声呼び出しを行い、受信者通信端末11Bは当該音声呼び出しに対し、当該呼び出しを受信するか拒絶するかなどの応答を行う。応答とは、受信者通信端末11Bは当該音声呼び出しを受けた時、発信者の通信端末11Aと受信者の通信端末11Bの間に音声通信を行うことである。
【００３３】
交互にして、通信端末11Bが発信者として、受信者の通信端末11Aに音声呼び出しを発信することもできる。
【００３４】
本発明の通信システム10において、カラーデータ提供プラットフォーム14は、カラーデータの保存に使われるが、そのカラーデータは、通信端末11Bに現れ、通信端末11Aに関するユーザーの個性化情報と、通信端末11Aに現れ、通信端末11Bに関するユーザーの個性化情報を含む。例えば、モバイル端末11Aのユーザーは、事前に各種の接続方式を通じ、通信ネットワークを経由し、カラーデータ提供プラットフォーム14に、通信端末11Aと通信端末11Bの音声通話の起動、構築、実行期間又は完成後に通信端末11Bで表示されるカラーデータを設定する。例えば、通信端末、WEB、無線応用協議（WAP）、音声応答（IVR）などの方式を通じカラーデータ提供プラットフォームに接続し、カラーデータを設定する。また、モバイル端末11Bのユーザーが、各種の接続方式を通じて通信ネットワークを経由し、カラーデータ提供プラットフォーム14で、通信端末11Aと通信端末11Bの音声通話の起動、構築、実行期間又は完成後に通信端末11Aに表示されるカラーデータを設定する。上記にカラーデータのタイプや内容を記述したので、ここで詳しい記述はしない。
【００３５】
本発明の実施例において、モバイル端末11Aと11Bの住所情報とカラーデータの関連住所は、カラーデータ提供プラットフォーム14に保存される。上記の住所情報は、例えば電話番号であり、モバイル端末に配分する為の唯一の識別コードである。以下ではカラーデータの提供プラットフォーム14の配置を記述する。
【００３６】
本発明の実例によれば、通信端末11Aと通信端末11Bの間における音声呼び出し通信ネットワーク（第二通信チャンネル）はパケット交換通信ネットワークで、例えば、GPRS通信ネットワーク13であり、また電話交換通信ネットワークであり、例えばGSM通信ネットワーク12でもある。上記のパケット交換通信ネットワークは、無線ネットワーク又は有線ネットワークである。
【００３７】
本発明の実施例に基づいて、通信端末11Aとカラーデータ提供プラットフォーム14の間のカラーデータ取得の通信ネットワーク（第一通信チャンネル）は、通信端末11Aと通信端末11Bの間の音声呼び出し通信ネットワーク（第二通信チャンネル）と同じものにできるが、同じでなくても良い。
【００３８】
（通信システムよる通信端末へのカラーデータの提供方法）
【００３９】
図2、は本発明の実例に基づく通信方法のプロセス図を表す。
【００４０】
図2のように、プロセス101では、通信端末11Aが音声呼び出しを行ったかどうかを識別する。具体的に言うと、発信者通信端末11Aで、電話番号などの受信者通信端末11Bの識別コードを入力したかどうかを識別する。
【００４１】
たとえば発信者通信端末11Aが、既に受信者通信端末11Bに唯一の識別コードを保存していれば、発信者は通信端末11Aに保存された受信者通信端末11Bの唯一の識別コードを選択したかどうかを識別する。
【００４２】
次に、プロセス101で呼び出しを識別した時、プロセス102では、通信端末11Aは、入力又は選択された受信者通信端末11Bの識別コードに基づいて通信ネットワークを経由し受信者通信端末11Bへの呼び出しを行う。
【００４３】
また、プロセス103では、予め設定されたカラーデータ提供プラットフォーム14のネットワークアドレスに基づいて、受信者通信端末11Aは、通信ネットワークを経由し、カラーデータ提供プラットフォーム14に通信端末11Bのユーザーのカラーデータ取得の為の確認（請求）信号を発信する。優先選択地の場合、当該カラーデータを取得する為の確認（請求）には最低限、発信者通信端末11Aの住所情報と受信者通信端末11Bの住所情報が含まれる。更に優先選択地の場合、上記の住所情報は、通信端末の識別コードであり、例えるなら電話番号である。優先選択地の場合、当該通信ネットワークは、GSM通信ネットワーク又はGPRS通信ネットワークである。
【００４４】
次にプロセス104では、カラーデータ提供プラットフォーム14において受信者通信端末11Aが送信したカラーデータ取得請求の信号を受信し、受信者通信端末11Aの住所情報と受信者通信端末11Bの住所情報を取得する。例えるなら通信端末識別コードである。
【００４５】
次に、プロセス105は、発信者通信端末11Aに唯一の識別コード及び受信者通信端末11Bの識別コードに基づいて、カラーデータ提供プラットフォーム14に受信者通信端末11Bのユーザーが事前設定した発信者通信端末11Aのカラーデータを検索する。
【００４６】
本発明の実例では、発信者の通信端末11Aに唯一の識別コード、受信者通信端末11Aの識別コード、時間パラメータ及び通信端末11Aと通信端末11Bの所在位置に基づいて、カラーデータ提供プラットフォーム14で受信者通信端末11Bユーザーが事前設定した発信者通信端末11Aのカラーデータを検索する。
【００４７】
当該分野の技術者は、その他のパラメータでも、本発明におけるカラーデータ提供プラットフォーム14で受信者通信端末11Bのユーザーが事前設定した発信者通信端末11Aのカラーデータを検索されることを理解する。その場合、当該パラメータとカラーデータを関連づけてカラーデータ提供プラットフォーム14に保存すれば良い。
【００４８】
次に、プロセス106では、カラーデータ提供プラットフォーム14において検索されたカラーデータを、通信ネットワーク経由で発信者通信端末11Aに発信する。
【００４９】
更に、プロセス107では、発信者通信端末11Aが、カラーデータ提供プラットフォーム14からのカラーデータを受信する。
【００５０】
また、プロセス108では、通信端末11Aの設定に基づいて、発信者通信端末11Aが受信した当該カラーデータを表示する。当該表示は、プロセス102で行われた音声呼び出し操作と同時に行える。例としては、呼び出しの接続の前に通信端末11Aで受信したカラーデータを表示する。また呼び出し接続前に通信端末11Aで受信したカラーデータを表示する。また呼び出し接続期間又は呼び出し終了後もカラーデータを表示できる。本発明の実例に基づいて、呼び出し接続前、呼び出し接続期間及び呼び出し終了後以降も、それぞれ異なるカラーデータを表示する。
【００５１】
また、優先選択地の場合、受信したカラーデータを発信者通信端末11Aに保存し、通信端末11Aが、カラーデータ提供プラットフォーム14と接続できない場合（例えばネットワーク端末できない場合）、音声呼び出し期間に既に保存した通信端末11Aのカラーデータを表示する。
【００５２】
優先選択地の場合、カラーデータ提供プラットフォーム14から受信したカラーデータと通信端末11Aで既に保存したカラーデータと対比することにより、通信端末11Aで保存したカラーデータの更新の必要性を判定する。発信者通信端末11Aに保存されたカラーデータとカラーデータ提供プラットフォーム14から受信した受信カラーデータが不一致の場合、受信カラーデータを利用して、通信端末11Aに保存されたカラーデータを更新できる。
【００５３】
本発明の実例に基づいて、発信者通信端末11Aと受信者通信端末11Bの呼び出しにおいて、受信者通信端末11Bが、通話前、通話期間、通話後において、発信者通信端末11Aの表示画面に、受信者ユーザーが、予め事前に、図形やアニメ、又はその他マスメディアと文字情報などのカラーデータ提供プラットフォーム14で設定保存したカラーデータを、リアルタイムに表示する。
【００５４】
図3は、本発明の別の実例の通信方法のプロセス図を表示する。
【００５５】
当該実例において、受信者通信端末11Bは、発信者通信端末11Aが通信ネットワーク経由の発信音声呼び出し受信と同時に、カラーデータ提供プラットフォーム14に取得請求信号を発信し、カラーデータ提供プラットフォーム14から通信端末11Aのユーザーが事前設定した、通信端末11B表示のカラーデータを取得できる。
【００５６】
まず、プロセス201では、通信端末11Bで、音声呼び出しを行ったかどうかを識別する。
【００５７】
具体的には、受信者通信端末11Bが、通信端末11Aから通信ネットワーク経由で発信音声呼び出し請求を受信したかどうかを識別する。
【００５８】
次に、プロセス201で音声呼び出し請求を識別した場合、プロセス202では、受信者通信端末11Bが、上記の呼び出し請求に対し、応答を行う。
【００５９】
また、プロセス203では、事前設定したカラーデータ提供プラットフォーム14のネットワークアドレスに基づいて、受信者通信端末11Bが、通信ネットワーク経由でカラーデータ提供プラットフォーム14に通信端末11Aのユーザーに関するカラーデータ取得請求を発信する。優先選択地の場合、当該カラーデータ取得請求には、最低限、発信者通信端末11Aのアドレス情報と受信者通信端末11Bのアドレス情報を含む。更に優先選択地の場合、上記アドレス情報は、通信端末に唯一の識別コードであり、例えばそれは電話番号である。優先選択地の場合、当該通信ネットワークは、GSM通信ネットワーク又はGPRS通信ネットワークである。
【００６０】
次に、プロセス204では、カラーデータ提供プラットフォーム14において通信端末11Bが発信した取得請求を受信する。
【００６１】
次に、プロセス205では、発信者通信端末11Aのアドレス情報及び受信者通信端末11Bのアドレス情報に基づいて、カラーデータ提供プラットフォーム14で発信者通信端末11Aのユーザーが事前設定した提供カラーデータを、受信者通信端末11Bにおいて検索ができる。
本発明の当該実例においては、発信者通信端末11Aのアドレス情報(唯一の識別コード)、受信者通信端末11Bのアドレス情報（唯一の識別コード）、時間パラメータに基づいて、カラーデータ提供プラットフォーム14で発信者通信端末11Aのユーザーが事前設定した提供カラーデータを、受信者通信端末11Bにおいて検索ができる。
【００６２】
本発明の当該実例に基づいて、発信者通信端末11Aに唯一の識別コード、受信者通信端末11Bに唯一の識別コード、時間パラメータ及び通信端末11Aと通信端末11Bが所在する位置に基づいて、カラーデータ提供プラットフォーム14で発信者の通信端末11Aのユーザーが事前設定した提供カラーデータを、受信者通信端末11Bにおいて検索ができる。
【００６３】
本分野の技術者は、その他のパラメータもカラーデータ提供プラットフォーム14で発信者通信端末11Aのユーザーが事前設定した提供カラーデータを、受信者通信端末11Bにおいて検索ができることを理解する。その場合、当該パラメータとカラーデータ関連住所をカラーデータ提供プラットフォーム14に保存すれば良い。
【００６４】
次に、プロセス206では、カラーデータ提供プラットフォーム14は、検索されたカラーデータを通信ネットワーク経由で受信者通信端末11Bに発信する。
【００６５】
更に、プロセス207では、受信者通信端末11Bは、カラーデータ提供プラットフォーム14からのカラーデータを受信する。
【００６６】
また、プロセス208では、通信端末11Bの設定に基づいて、受信者通信端末11Bで当該受信したカラーデータを表示する。当該表示はプロセス202で呼び出し請求操作と同時に行われる。例えば、呼び出し通話前に、受信カラーデータを表示する。
【００６７】
選択可能地の場合も、呼び出し通話期間又は呼び出し終了後もカラーデータを表示する。なお、優先選択地の場合、受信カラーデータは、受信者の通信端末Bに保存され、通信端末11Bがカラーデータ提供プラットフォーム14と接続できない場合(例えばネットワーク端末)でも、音声呼び出し期間において通信端末11Bに保存したカラーデータを表示できる。
【００６８】
優先選択地の場合、カラーデータ提供プラットフォーム14から受信したカラーデータと通信端末11Bに保存されたカラーデータと対比を行い、通信端末11Bに保存されたカラーデータを更新の必要を確認する。受信者通信端末11Bに保存したカラーデータとカラーデータ提供プラットフォームから受信したカラーデータが不一致の場合、受信したカラーデータを利用し、通信端末11Bに保存したカラーデータを更新する。
【００６９】
本発明の実例に基づいて、発信者通信端末11Aが受信者通信端末11Bを呼び出す場合、受信者通信端末11Bが通話前、通話期間、通話後において、受信者の通信端末11Bの画面に、リアルタイムに、発信者のユーザーが一枚の図形やアニメ又はその他マルチメディアと電子メールなど、事前設定してカラーデータ提供プラットフォーム14に保存したカラーデータを表示できる。
【００７０】
本発明の実例のモーフィングに基づいて、音声呼び出し又は呼び出し請求を識別に取って代わり、音声通話請求を識別する時、カラーデータ取得と表示作動が発生する。
【００７１】
例えば、電話が通じた時に、カラーデータ取得と表示が開始する。
【００７２】
本発明の実例のモーフィングに基づいて、通信端末11Aが通信端末11Bと音声呼び出しができない場合、カラーデータ提供プラットフォーム14から、通信端末11Bのユーザーは、事前にカラーデータ提供プラットフォーム14で設定した通信端末11Aの提供カラーデータを取得できる。
【００７３】
例えば、通信端末11Aのユーザーが通信端末11Aで保存された通信端末11Bに唯一の識別コードをクリックすることにより、通信端末11Bと接続する前に（つまり呼び出し請求）、カラーデータ提供プラットフォーム14から通信端末11Bのユーザーが事前にカラーデータ提供プラットフォーム14で設定し、通信端末11Aに提供するカラーデータを取得できる。例えば、通信端末11Bユーザーの顔の画像や個人履歴書などである。
【００７４】
なお、通信端末11Aのユーザーと通信端末11Bのユーザーが、事前にカラーデータ提供プラットフォーム14で設定し、通信端末11Aに提供するカラーデータ（つまりユーザーが主動的に検索請求）のみ検索する時、通信端末11Aのユーザーは、通信端末11Aに保存された通信端末11Bの識別コード(又はアイコン)をクリックすることにより、主動的にカラーデータ提供プラットフォーム14からカラーデータを取得できる。
【００７５】
（カラーデータ提供プラットフォームの配置）
【００７６】
図４は、本発明の実例に基づくカラーデータ提供プラットフォームの配置を示している。
【００７７】
図4で示したとおり、本発明のカラーデータ提供プラットフォーム14には、カラーデータベース141、カラーデータ請求受信装置143、カラーデータ検索装置144及びカラーデータ送信装置145が含まれる。本発明のカラーデータ提供プラットフォーム14には、カラーデータ設定装置142も含まれる。
【００７８】
カラーデータベース141は、システムで予め設定し、しかも登録ユーザーが設定したカラーデータを保存している。上記で述べたように、カラーデータには、テキストデータ、図形データ、オーディオデータ、flashデータ、ビデオデータ、リンクアドレスデータ及びマルチメディアデータの一種又は複数の組み合わせデータが含まれる。
【００７９】
優先選択地の場合、カラーデータと、通信端末に配分した識別コード関連アドレスをカラーデータベース141に保存する。例えば、もし登録ユーザーが別ユーザーと音声通話を行い、別ユーザーの通信端末に特定のカラーデータを表示する場合、当該特定のカラーデータと、登録ユーザーの通信端末に配分された識別コード、及び当該別ユーザーの通信端末に配分された識別コード関連アドレスを、カラーデータベース141に保存できる。
【００８０】
カラーデータ設定装置142は、カラーデータベースの設定に使われる。本発明において、もし通信端末11Aユーザーが、カラーデータ提供業務の登録ユーザーであれば、彼らは通信ネットワーク経由でカラーデータ設定装置142によりカラーデータベース141で通信端末11Bが通信端末11Aを呼び出した時に通信端末11Bに表示するカラーデータを設定できる。また、通信端末11Bのユーザーがカラーデータ提供業務の登録ユーザーであれば、彼らは通信ネットワーク経由でカラーデータ設定装置142により通信端末11Aが通信端末11Bを呼び出した時、通信端末11Aに表示するカラーデータを設定できる。
【００８１】
本発明に基づいて、登録ユーザーは、通信端末応用によりカラーデータ提供プラットフォーム14に接続し、カラーデータ設定装置142経由でカラーデータを設定できる。登録ユーザーは、WEB方式を取り、カラーデータ提供プラットフォーム14に接続し、カラーデータ設定装置142経由でカラーデータを設定できる。登録ユーザーは、無線応用協議（WAP）を利用し、SMSの方式でカラーデータ提供プラットフォーム14に接続し、カラーデータ設定装置142経由でカラーデータを設定できる。更に、登録ユーザーは、能動的な音声応答（IVR）の方式を通じて、カラーデータ提供プラットフォーム14に接続し、カラーデータ設定装置142経由でカラーデータを設定できる。
【００８２】
本発明の実施例に基づいて、アイドル状態やシャットダウン状態、サービスエリア区域外状態、通話中状態など、受信者の通信端末の呼び出し状態に対して、それぞれ発信者の通信端末に表示するカラーデータを設定できる。つまり、受信者登録ユーザーが、カラーデータ設定装置142を利用し、受信者通信端末の異なる呼び出し状態と、各呼び出し状態に対応するカラーデータ関連情報をカラーデータに保存できる。発信者通信端末がカラーデータ提供プラットフォーム14にカラーデータ取得請求を発信する時、データ提供プラットフォーム14は受信者の呼び出し状態を取得でき、カラーデータベース中で当該呼び出し状態と対応するカラーデータを検索し、発信者の通信端末に提供する。発信者通信端末はカラーデータ提供プラットフォーム14が提供した、当該呼び出し状態に対応するカラーデータを表示する。
【００８３】
本発明の実施例に基づいて、登録ユーザーは、カラーデータ設定装置142で個人情報のカラーデータの設定が可能であり、当該状態情報には、ユーザー多忙中、会議中、外出中、食事中、休憩中などを含む表示ができる。ただし、これだけには限らない。
【００８４】
優先選択地の場合、登録ユーザーが、カラーデータ設定装置142によるカラーデータ提供に対し、一時のシャットダウン又は開閉（ON/OFF）機能を設置する。
【００８５】
本発明の実例に基づいて、カラーデータ提供プラットフォーム14は、登録ユーザーに対しデフォルト画像を提供する。具体的には、もし、登録ユーザーがカラーデータ提供業務を申請した後、特別な設定を行わない場合、当該登録ユーザーの呼び出しができる。
【００８６】
通信端末の受信カラーデータの内容は、カラーデータ提供プラットフォーム14が登録ユーザーに配分した黙認のカラーデータとする。優先選択地の場合、登録ユーザーも黙認のカラーデータを交換できる。
【００８７】
本発明の実例に基づいて、登録ユーザーは、カラーデータ設定装置142により時間によるカラーデータを制定できる。具体的に言うと、時間帯により異なるカラーデータの提供を設定できる。例えば、一日の特定の時間帯において異なるカラーデータを提供する。つまり、毎日、午前中、8：00〜12：00と午後1：00〜6：00においてそれぞれ異なるカラーデータを提供する。また一週間の一日だけ異なるカラーデータを提供する。例えば、毎週の月曜日から金曜日まで、土曜日から日曜日までそれぞれ異なるカラーデータを提供する。毎月の一日又は数日間において異なるカラーデータを提供する。例えば、毎月の5日、又は毎月の5日〜10日にその他の時間帯と異なるカラーデータを提供する。なお、毎年の一日又は数日間において異なるカラーデータを提供し、例えば、毎年の10月1日と毎年の5月1日〜5月7日の間にその他時間帯と異なるカラーデータを提供する。その時間帯には事前に指定した具体的な日付と時間帯が含まれる。
【００８８】
本発明の実例に基づいて、登録ユーザーが、カラーデータ設定装置142を通じ相手の異なる番号により異なるカラーデータを制定する。具体的に言うと、もし相手に多くの番号があるといった情況の下で、各番号と対応するカラーデータ関連アドレスをカラーデータベースに保存する。これで、もしある番号のカラーデータ取得請求を受信した場合、カラーデータ提供プラットフォーム14は当該番号に対応するカラーデータを相手に発信する。
【００８９】
本発明の実例において、登録ユーザーがカラーデータ設定装置142を通じて番号をグループに分け、更に各グループ名を付け、異なる番号群に対して異なるカラーデータを設定する。具体的には、番号群やメンバー番号とカラーデータ関連情報をカラーデータベースに保存する。例えば、番号を「同僚」、「親友」、「家族」などのグループに分ける。これで、もし一つのグループ群のメンバーからのカラーデータ取得請求を受信した時、当該グループ群対応のカラーデータを当該グループ群メンバーに発信する。
【００９０】
本発明の実例において、登録ユーザーは、カラーデータ設定装置142を通じて相手位置によりカラーデータを設定する。相手の異なる位置(国家、省、市)に対し異なるカラーデータを設定する。具体的には、相手の識別コード、登記ユーザー識別コード、所在位置及び対応するカラーデータ関連アドレスをカラーデータに保存する。これで、もし、相手を呼び出すカラーデータ取得請求を受信した場合、（その当該請求には相手を呼び出す識別コード、登記ユーザー識別コード、所在位置が含む）所在位置に対応するカラーデータを当該呼び出し相手に発信する。例えば、当該相手が北京でカラーデータの請求発信し取得したカラーデータと相手が上海でカラーデータの請求発信し取得したカラーデータは異なる物とする。
【００９１】
本発明の実例においては、登録ユーザーが、カラーデータ設定装置142を通じて、表示カラーデータの通信端末のタイプによって異なるカラーデータを設定する。例えばセルラー電話、固定電話、PDA上の表示に対して、異なるカラーデータを提供する。
【００９２】
本分野の技術者は、登録ユーザーが上記で言及された呼び出し状態、時間、位置、番号、番号グループ群、通信端末のタイプなどの条件に対し、組み合わせ設定を行うことにより異なるカラーデータを設定できることを理解すべきである。同時に、カラーデータの表示規則は上記で言及された呼び出し状態、時間、帰属地、番号、番号グループ群、通信端末タイプなどの条件に対してそれぞれ優先順位を設定する。
【００９３】
本発明の実例で、登録ユーザーは、カラーデータ設定装置142を通じてカラーデータに対し編集や訂正を行い、更に個人情報の入力、修正もできる。カラーデータの修正と入力は個人のデジタル写真アップロード、修正と新規追加、アニメとその他メディアのアップロード、修正と新規追加が挙げられる。
【００９４】
引き続き図4を参照すれば、カラーデータ請求受信装置143は、通信端末によるカラーデータ取得請求を受信することがわかる。
【００９５】
カラーデータ検索装置144は、カラーデータ取得請求のパラメータに基づいて、カラーデータベース141から通信端末に表示できるカラーデータを検索する。優先選択地の場合のパラメータには、発信者通信端末と受信者通信端末の識別コードが含まれる。
【００９６】
カラーデータ送信装置145は、検索カラーデータを受信し、当該検索カラーデータを通信ネットワーク経由で通信端末に発信する。
【００９７】
本発明のカラーデータ提供プラットフォームは、業務推進提示の機能をもっている。つまり、既にカラーデータ提供業務の申請ユーザーと未申請ユーザー又は端末にクライアントソフトウェアをインストールしていないユーザーの通話後、SMSやクロミナンス、IVRなどの方式をとり業務推進提示の機能を持っている。
【００９８】
本発明の優先選択の実例に基づいて、通信端末とカラーデータ提供プラットフォーム14との接続過程において、カラーデータ提供プラットフォーム14は、通信端末ソフトウェアバージョンの判断と対比を行うことができる。もし通信端末ソフトウェアが現在バージョンものと異なっていれば、ユーザーに同バージョンに更新を行うよう提示する。これで通信端末ソフトウェアの更新ができる。
【００９９】
本発明のカラーデータ提供プラットフォームに基づいて、各時間帯に基づいた統計カラーデータ業務ユーザー数、一定時間内のカラーデータ業務の申請ユーザー数、一定時間内のカラーデータ業務収入、ユーザーによる第三者通信業者のカラーデータのダウンロードにより生じた情報費用などのデータをリアルタイムに提供する。
【０１００】
カラーデータ提供プラットフォーム14は、更に情報費用のリストを提供する。そのリストにはカラーデータ購入のダウンロード時間、業務提供の通信業者の名称、カラーデータの名称などが含まれる。
【０１０１】
カラーデータは有効期間を持っているが、永久的に使用できるデータもある。登録ユーザーの注文業務に使用したカラーデータが有効期間を越えた場合、当該カラーデータシステムが認めるか又はユーザーに当該カラーデータを引き続き改めて提供し、今回の使用について記録し、費用の精算を供する。再び費用の精算とする時、SMS方法をとり、ユーザーに明確な提示をする。
【０１０２】
（通信端末の配置）
【０１０３】
図5は、本発明の実例に基づく通信端末の図を表している。
【０１０４】
図5が示したように、本発明の実例に基づく通信端末には、呼び出し操作監視装置110、カラーデータ通信装置111及びカラーデータ表示装置112が含まれる。優先選択地の当該通信端末には、カラーデータ保存装置113が含まれる。
【０１０５】
呼び出し操作監視装置110は、リアルタイムに呼び出し操作の発生をコントロールし、これには音声呼びコール操作、音声呼び出し操作、音声通話、音声中断操作、準備呼び出し操作、ユーザー検索操作などが含まれる。
【０１０６】
上記の各種呼び出し操作に対して記述を行う。当該呼び出し操作監視装置110も呼び出し操作パラメータを提供することに責任を負い、これには電話番号、相手通信端末を呼び出す識別コードが含まれる。
【０１０７】
カラーデータ通信装置111は、カラーデータ提供プラットフォーム14と通信情報確認システムがパッケージされている。呼び出し操作が行われた時、カラーデータ通信装置111とカラーデータ提供プラットフォーム14が接続を行い、ネットワークを通じてカラーデータ提供プラットフォーム14と通信を行い、カラーデータを取得する。具体的には、呼び出し操作が行われた時、カラーデータ通信装置111がカラーデータ提供プラットフォーム14に当該操作と関連するカラーデータ取得請求を発信する。優先選択地の当該取得請求に対して呼び出し操作関連における双方の通信端末の呼び出し識別コードが含まれる。更に、カラーデータ通信装置111は、上記請求を受信したカラーデータ提供プラットフォーム14からカラーデータを受信し、さらに受信カラーデータをカラーデータ表示装置112に発信する。
【０１０８】
カラーデータ表示装置112は、これに適合するデータ、図形データ、オーディオデータ、ビデオデータなどマルチメディアデータを含むカラーデータを表示する。
【０１０９】
優先選択地の場合、本発明の通信端末のカラーデータ提供設備にはカラーデータ保存装置113が含まれる。カラーデータ保存装置113は、カラーデータ通信装置111からのカラーデータを受信し保存する。カラーデータ保存装置113は、カラーデータの一時バッファを提供する為、同様のカラーデータを重複してダウンロードできる。
【０１１０】
優先選択地の場合、当該通信端末に比較装置114と更新装置115が含まれる。比較装置114は、カラーデータ通信装置111によりカラーデータ提供プラットフォーム14からの取得カラーデータとカラーデータ保存装置113に保存された対応するカラーデータとの対比を行うことに使われる。更新装置115は、カラーデータ提供プラットフォーム14からの取得カラーデータとカラーデータ保存装置113に保存された対応するカラーデータが不一致の場合、上記のカラーデータ提供プラットフォーム14からの取得カラーデータを利用し、上記のカラーデータ保存装置113に保存されたカラーデータを更新しそれ以降の表示に使われる。
【０１１１】
本発明の実例において、カラーデータがストリーミングメディアのタイプでなければ、カラーデータ表示装置112は、カラーデータがすべて受信完了後内容を表示し、またネットワークの接続を中止する。もし、カラーデータがストリーミングメディアのタイプであれば、カラーデータ表示装置112は、即時にカラーデータを表示し、またネットワークの接続も維持し、連続的にデータをダウンロードする。
【０１１２】
本発明の実例において、もしカラーデータのタイプが名刺タイプであれば、名刺方式でカラーデータを表示する。もしカラーデータのタイプがURLであれば、ホームページ方式でカラーデータを表示する。もしカラーデータのタイプがメディアでれば、マルチメディアプレイの形でカラーデータを表示する。もしカラーデータのタイプがAvatarであれば、Avatar方式でカラーデータを表示する。
【０１１３】
（通信端末中の操作）
【０１１４】
図6は、本発明の実例に基づく通信端末において操作したプロセス図である。図6の例は、音声呼びコール操作と呼び出し操作の情況を示している。
【０１１５】
図6で示したように、プロセス301において、呼び出し操作監視装置110は、音声の呼び出しコールを監視している。
【０１１６】
音声の呼び出しコールを監視した時、プロセス302において、音声呼び出しコール操作は、カラーデータ通信装置111がカラーデータ相互協議を利用しカラーデータ提供プラットフォ―ム14と通信を行うことをゲーディングすることにより、カラーデータ提供プラットフォーム14から当該音声呼び出しコール操作と関連するカラーデータを取得する。具体的に言うと、音声呼び出しコール操作を行う時、カラーデータ通信装置111がカラーデータ提供プラットフォーム14に当該呼び出し操作関連のカラーデータ取得請求を発信する。優先選択地の場合、当該請求には最低限でも当該音声呼び出しコール操作と関連する、双方の通信端末を呼び出す電話番号が含まれる。更に、カラーデータ通信装置111は、カラーデータ提供プラットフォーム14から上記請求への応答としてカラーデータを受信し、更に受信されたカラーデータをカラーデータ表示装置112に発信する。
【０１１７】
プロセス303においては、音声呼び出しコールを行うと同時に、カラーデータ表示装置112は、上記のカラーデータを表示し、その後処理を終了する。
【０１１８】
優先選択地の場合、プロセス304において、カラーデータ提供プラットフォーム14からの取得カラーデータとカラーデータ保存装置113の保存カラーデータとの対比を行う。もしもカラーデータ提供プラットフォーム14からの取得カラーデータとカラーデータ保存装置113の保存カラーデータが一致する場合、処理は終了する。そうでなければ、プロセス305において、上記のカラーデータ提供プラットフォーム14からの取得カラーデータを利用し、上記カラーデータ保存装置の保存カラーデータを更新し、それ以降の表示を図る。その後、処理を終了する。
【０１１９】
その他呼び出し操作を行う場合、その処理は上記の処理と類似しているので、詳細な記述は行わない。
【０１２０】
特にここで言いたいのは、音声中断対応が発生した時、呼び出し操作監視装置110は、カラーデータ表示装置112に通知を行い、カラーデータ表示装置112は、カラーデータの表示を停止する。この機能は実際の需要に応じて、もし、音声中断後において引き続き表示する場合は、停止しなくとも良い。もし、複数以上の回路音声通話が発生すれば、音声中断に対応するカラーデータ表示を停止し、その他の中断しない音声呼び出しに対応するカラーデータは依然として表示し続ける。
【０１２１】
ビデオ電話の通話イベントが発生するとき、ビデオ電話が正常に使用することに影響を及ぼさないようにする為、カラーデータの表示を停止することができる。当該処理過程と音声中断処理過程は非常に類似しているが、操作のゲーディングは電話通話時である。
【０１２２】
（同時実行について）
業務において、２．５Ｇメカニズムと３Ｇメカニズムの２つのメカニズムを使用する場合について説明する。そのうちの３Ｇメカニズムは同時実行を利用するが、詳細は以下のとおりである。
【０１２３】
１．業務のトリガーメカニズムは端末（通信端末）にある。
２．端末はコールイベントによりトリガーされるが、コールイベントにはコールインとコールアウトの２種類のイベントを含む。
３．コールイベントが発生する際に、端末はプロセスフローを起動する。フローには２つの方式を含む。ａ）２．５Ｇ方式：端末は、端末メモリに呼び出し先の情報が記憶されているかチェックする。既に記憶されている場合は、リアルタイムにユーザマルチメディアおよび個人情報データを表示する。ｂ）３Ｇ方ｐ式：端末は、リアルタイムにデータリンクを起動し、同時実行および音声呼び出しのデータリンクを発起するとともに、サーバに宛先マルチメディア内容、個人情報および状態などのデータを要求する。ｃ）データ取得後に、端末で複数種類の情報を再生し、キーイベントおよびその他スクリーン表示イベントをトリガーとして再生を終了し、あるいは端末の設定により再生を終了する。
【０１２４】
次に、双方向表示を、次のような角度から説明する。
被呼側から説明する場合：現在、ネットワーク端末は全て発呼側番号表示機能があり、コールイベントにおいて被呼側に発呼側番号を提供する。しかし、被呼側にとって、発呼側番号を取得するだけではユーザのニーズに応えることが十分足りるものではない。本発明は、エンハンスド型発呼側情報提供方式を提供し、発呼側番号の制限を大きく突破した。上記のデータ同時実行取得モードに合わせて、端末にコールイベントが発生する際に、被呼側に発呼側情報、発呼側マルチメディアイメージ、発呼側設定のその他のマルチメディア内容、発呼側状態および発呼側の複数種類の個人情報などの内容を提供する。提供される内容を発呼側の状態に関連付けることができる。
【０１２５】
発呼側から説明する場合：現在のネットワークが発呼側に提供できる被呼側状態は、音声ガイダンスの多忙中、接続待ちまたは呼び出し待ちなどの情報および着信メロディー業務だけである。しかし、発呼側にとって、このような情報提供も十分足りるものではない。本発明は、エンハンスド型被呼側情報提供方式を提供し、現在の内容制限を突破した。上記のデータ同時実行モードに合わせて、端末においてコールイベントが発生する際、発呼側に被呼側情報、被呼側マルチメディアイメージ、被呼側設定のその他のマルチメディア内容、被呼側状態および被呼側の複数種類の個人情報などの内容を提供する。提供される内容を被呼側状態に関連付けることができる。
【０１２６】
本発明は、発呼と被呼の２つの機能を同時にサポートし、発呼と被呼により、それに対応する異なる内容を提供することができる。
【０１２７】
本発明は、ハードウェアやソフトウェア、固定部品及びこれらの組み合わせで実現する。本分野の技術者は、如何なる適正なデータ処理システムが使用する信号承載メディアで設置されたコンピュータプログラミング製品においても本発明を実現することができることを理解すべきであり、この信号承載メディアは伝送メディアであり、又はマシン読解可能な記録できるメディアでもあり、磁気メディアや光メディア又はその他適正なメディアが含まれる。記録できるメディアの例としては、ハードディスクドライブにおけるディスク又はフロッピディスク、CDドライブに使われる光ディスク、カセットテープ及び本分野の技術者が思いつくことができるその他メディアが挙げられる。伝送メディアの例としては、音声通信に利用される電話ネット及びデジタル通信ネットが含まれ、例えば、イーサネット（登録商標）及びネット間の協議とインターネットと通信を行ったネットワークが挙げられる。本分野の技術者は、適正なプログラミング装置をもつ如何なる通信端末もプログラミング製品で実現できる本発明の方法とプロセスを実行することができることを認識すべきであり、また、本明細書で記述されたある実例は、通信端末に取り付けられ、しかもそこで動作するソフトウェア向けの物であるが、固定部品又はハードウェアの予備部品の実例も本発明の範囲にある。
【０１２８】
上記によって、本発明の精神から乖離しないという情況の下で、本発明の各実施方式に対し修正や変更を行うことができる。本明細書における記述は説明のみに使われ、制限があるとは見なされない。本発明の範囲は、特許請求の範囲のみによって制限される。
【図面の簡単な説明】
【０１２９】
【図１】本発明に基づく実例の通信システムを表す。
【図２】本発明の実例の通信システムに基づくプロセス図を表す。
【図３】本発明の別の実例の通信システムに基づくプロセス図を表す。
【図４】本発明の実例のカラーデータ提供プラットフォームの配置プロセス図を表す。
【図５】本発明の実例に基づく通信端末を表す。
【図６】本発明の実例に基づく通信端末が動作し、処理するプロセス図を表す。
【符号の説明】
【０１３０】
10  通信システム
11A  通信端末
11B  通信端末
12  通信ネットワーク
14  カラーデータ提供プラットフォーム
110  操作監視装置
111  カラーデータ通信装置
112  カラーデータ表示装置
113  保存装置
114  比較装置
115  更新装置
141  カラーデータベース
142  カラーデータ設定装置
143  カラーデータ請求受信装置
144  カラーデータ検索装置
145  カラーデータ送信装置
【図１】
2008192155.tif 000003
【図２】
2008192155.tif 000004
【図３】
2008192155.tif 000005
【図４】
2008192155.tif 000006
【図５】
2008192155.tif 000007
【図６】
2008192155.tif 000008